【手続補正書】
【提出日】令和1年7月9日(2019.7.9)
【手続補正１】
【補正対象書類名】明細書
【補正対象項目名】００５０
【補正方法】変更
【補正の内容】
【００５０】
本発明は、今のところ最も実践的かつ好ましい実施態様であるとみなされるものに関連して説明されてきたが、本発明は、開示の実施態様に限定されないことが当業者には明白であろう。本開示の主旨及び範囲から逸脱することなく、多くの変更態様及び等価な配列がなされてよく、このような範囲は、全ての等価物の構造及び製品を包含するように、添付の特許請求の範囲の最も広範な解釈を与えることが、当業者には容易に明白になるであろう。その他に、実施態様の様々な例の特徴又は態様は、(このような組合せが明示的に本明細書で説明されないとしても)本発明の範囲を逸脱することなく、併用され、一致してよい。
本件出願は、以下の構成の発明を提供する。
（構成１）
車両が駐車場施設に入庫されるとき、該車両を見るために位置付けされた入口カメラと、
該車両が該駐車場施設から出庫されるとき、該車両を見るために位置付けされた出口カメラと、
該入口カメラと該出口カメラとにネットワーク接続された中央制御コンピュータと
を備え、
該中央制御コンピュータは、該駐車場施設に対する駐車パラメータのデータベースを含み、該駐車パラメータは、第1の車両クラス及び第2の車両クラスに対するパラメータを含み、該第1及び第2の車両クラスのそれぞれに対する該パラメータは、クラススポットの総数、使用されたクラススポットの数、及び残っているクラススポットの数を含み、該中央制御コンピュータは、
該車両が該駐車場施設に入庫されるとき、及び該車両が該駐車場施設から出庫されるとき、該車両の分類を決定すること、
該施設に入庫される該車両が該第1の車両クラスに属すると決定されるとき、該第1の車両クラスに対する使用されたクラススポットの該数を増加させ、該第1の車両クラスに対する残っているクラススポットの該数を減少させること、
該施設に入庫される該車両が該第2の車両クラスに属すると決定されるとき、該第2の車両クラスに対する使用されたクラススポットの該数を増加させ、該第2の車両クラスに対する残っているクラススポットの該数を減少させること、
該施設から出庫される該車両が該第1の車両クラスに属すると決定されるとき、該第1の車両クラスに対する使用されたクラススポットの該数を減少させ、該第1の車両クラスに対する残っているクラススポットの該数を増加させること、並びに
該施設から出庫される該車両が該第2の車両クラスに属すると決定されるとき、該第2の車両クラスに対する使用されたクラススポットの該数を減少させ、該第2の車両クラスに対する残っているクラススポットの該数を増加させること
を行うように構成される、駐車場施設管理システム。
（構成２）
前記入口カメラ及び前記出口カメラが同じカメラである、構成1記載の前記システム。
（構成３）
前記入口カメラ及び前記出口カメラは、前記車両のライセンスプレートを描写するように位置付けされる、構成1記載の前記システム。
（構成４）
前記駐車場施設への入口ポイントに隣接して位置付けされ、前記中央制御コンピュータとネットワーク接続されるゲートアームをさらに備え、該中央制御コンピュータは、前記車両が前記第1又は第2の車両クラスのうちの1つに属すると決定した後だけ、該ゲートアームを上げるようにさらに構成される、構成1記載の前記システム。
（構成５）
前記駐車場施設に提供され、前記中央制御コンピュータとネットワーク接続された自動発券機をさらに備え、該自動発券機が、前記車両に対して、該駐車場施設内に駐車するための支払いを受け入れること、及び該車両に対する支払い状態を該中央制御コンピュータに報告することを行うように構成される、構成1記載の前記システム。
（構成６）
前記駐車パラメータが、オープンな車両クラスに対するパラメータをさらに含み、前記中央制御コンピュータが、前記施設に入庫される前記車両が、前記第1又は第2の車両クラスのどちらにも属さないと決定されるとき、使用された開放型スポットの数に対するパラメータを増加させ、残っている開放型スポットの数に対するパラメータを減少させることを行うようにさらに構成される、構成1記載の前記システム。
（構成７）
前記第1の車両クラスが公務員である、構成1記載の前記システム。
（構成８）
前記第2の車両クラスがオープンなクラスである、構成1記載の前記システム。
（構成９）
前記第2の車両クラスが許可保持者である、構成1記載の前記システム。
（構成１０）
前記車両が前記駐車場施設に入庫しようとする際、前記中央制御コンピュータが、前記第1の車両クラスに対する残っているクラススポットの前記数がゼロであるとき、所与の駐車イベントに対して、該第1の車両クラスに属すると決定された車両を、前記第2の車両クラスに属する車両として分類するようにさらに構成される、構成1記載の前記システム。
（構成１１）
前記車両が前記駐車場施設に入庫しようとする際、前記中央制御コンピュータが、前記第1の車両クラスに対する残っているクラススポットの前記数がゼロであるとき、所与の駐車イベントに対して、該第1の車両クラスに属すると決定された車両を、オープンな車両クラスに属する車両として分類するようにさらに構成される、構成1記載の前記システム。
（構成１２）
駐車場施設を管理する方法であって、該方法は、
該駐車場施設に入庫される車両の少なくとも一部分の画像を取得することと、
該駐車場施設に入庫される該車両の該一部分に関する画像データを、中央制御コンピュータに中継することと、
該駐車場施設から出庫される該車両の少なくとも一部分の画像を取得することと、
該駐車場施設から出庫される該車両の該一部分に関する画像データを、中央制御コンピュータに中継することと、
該車両が該駐車場施設に入庫されるとき、該中央制御コンピュータによって、該車両の分類を決定することと、
少なくとも第1及び第2の車両クラスに対する駐車パラメータを、該中央制御コンピュータのメモリに記憶することであって、該駐車パラメータは、クラススポットの総数、使用されたクラススポットの数、及び残っているクラススポットの数を含む、記憶することと、
該施設に入庫される該車両が該第1の車両クラスに属すると決定されるとき、該第1の車両クラスに対する使用されたクラススポットの該数を増加させ、該第1の車両クラスに対する残っているクラススポットの該数を減少させることと、
該施設に入庫される該車両が該第2の車両クラスに属すると決定されるとき、該第2の車両クラスに対する使用されたクラススポットの該数を増加させ、該第2の車両クラスに対する残っているクラススポットの該数を減少させることと、
該施設から出庫される該車両が該第1の車両クラスに属すると決定されるとき、該第1の車両クラスに対する使用されたクラススポットの該数を減少させ、該第1の車両クラスに対する残っているクラススポットの該数を増加させることと、
該施設から出庫される該車両が該第2の車両クラスに属すると決定されるとき、該第2の車両クラスに対する使用されたクラススポットの該数を減少させ、該第2の車両クラスに対する残っているクラススポットの該数を増加させることと
を含む、前記方法。
（構成１３）
前記駐車場施設に入庫される車両の少なくとも一部分の画像を取得する前記工程が、カメラを使用して、該車両のライセンスプレートの文字に対するライセンスプレート認識を実施することを含む、構成12記載の前記方法。
（構成１４）
前記中央制御コンピュータが前記車両の前記分類の前記工程を実施した後だけ、前記駐車場施設への入口のゲートアームを上げること、をさらに含む、構成12記載の前記システム。
（構成１５）
前記中央制御コンピュータとネットワーク接続される自動発券機を介して前記車両に対する駐車イベントに対する支払いを受け入れること、及び該車両に対する支払い状態を該中央制御コンピュータに報告することをさらに含む、構成12記載の前記システム。
（構成１６）
前記施設に入庫される前記車両が、前記第1又は第2の車両クラスのどちらにも属さないと決定されるとき、使用された開放型スポットの数に対する駐車パラメータを増加させ、残っている開放型スポットの数に対する駐車パラメータを減少させることをさらに含む、構成12記載の前記システム。
（構成１７）
前記第1の車両クラスに対する残っているクラススポットの前記数がゼロであるとき、所与の駐車イベントに対して、該第1の車両クラスに属すると決定された前記車両を、前記第2の車両クラスに属する車両として分類することをさらに含む、構成12記載の前記システム。
（構成１８）
前記第1の車両クラスに対する残っているクラススポットの前記数がゼロであるとき、所与の駐車イベントに対して、該第1の車両クラスに属すると決定された車両を、オープンな車両クラスに属する車両として分類することをさらに含む、構成12記載の前記システム。
（構成１９）
駐車場施設を管理する方法であって、
車両が該駐車場施設に入庫されるとき、中央制御コンピュータによって、該車両の分類を決定することと、
少なくとも第1及び第2の車両クラスに対する複数の駐車パラメータを、該中央制御コンピュータのメモリ内に記憶することであって、該駐車パラメータは、クラススポットの総数、使用されたクラススポットの数、及び残っているクラススポットの数を含む、記憶することと、
該施設に入庫される該車両が該第1の車両クラスに属すると決定されるとき、該第1の車両クラスに対する使用されたクラススポットの該数を増加させ、該第1の車両クラスに対する残っているクラススポットの該数を減少させることと、
該施設に入庫される該車両が該第2の車両クラスに属すると決定されるとき、該第2の車両クラスに対する使用されたクラススポットの該数を増加させ、該第2の車両クラスに対する残っているクラススポットの該数を減少させることと、
該施設から出庫される該車両が該第1の車両クラスに属すると決定されるとき、該第1の車両クラスに対する使用されたクラススポットの該数を減少させ、該第1の車両クラスに対する残っているクラススポットの該数を増加させることと、
該施設から出庫される該車両が該第2の車両クラスに属すると決定されるとき、該第2の車両クラスに対する使用されたクラススポットの該数を減少させ、該第2の車両クラスに対する残っているクラススポットの該数を増加させることと
を含む、前記方法。
（構成２０）
前記第2の車両クラスがオープンなクラスである、構成19記載の前記方法。